(57)【要約】【課題】人手を使わずに凹部内に収容されている被係合部に取付けることができるフラットフックを提供する。【解決手段】このフラットフック１０は、平板状の金属部材から成る基部１１と、前記平板状の金属部材の一端側をその板厚方向に略Ｕ字状に屈曲して成り、被係合部に係合するフック部１２と、基部１１に傾動可能に取付けられ、付勢されている抜け止め部材１３と、フック部１２の先端から突出している引掛け用爪部１５とを備え、引掛け用爪部１５が、フック部１２の先端の延在方向よりも基部１１から離れる方向に向かって延び、引掛け用爪部１５の先端から少なくとも５ｍｍの範囲が、フック部１２の幅寸法に対し１／２以下の幅寸法を有する。【選択図】図３
2019023499.tif 000002
【特許請求の範囲】
【請求項１】
使用していない時は床面又は壁面に設けられた凹部内に収納され使用時は前記凹部外に配置される被係合部に係合するフラットフックであって、
平板状の金属部材から成る基部と、
該基部の一端側を前記金属部材の板厚方向に略Ｕ字状に屈曲して成り、前記被係合部に係合するフック部と、
前記基部に傾動可能に取付けられた抜け止め部材と、
該抜け止め部材を前記フック部の内周面に接触するように付勢する付勢部材と、
前記フック部の先端から突出している引掛け用爪部とを備え、
該引掛け用爪部が、前記フック部の先端の延在方向よりも前記基部から離れる方向に向かって延び、前記引掛け用爪部の先端から少なくとも５ｍｍの範囲が、前記フック部の幅寸法に対し１／２以下の幅寸法を有するフラットフック。
【請求項２】
前記引掛け用爪部が、前記凹部に収納された前記被係合部と該凹部の底面との間に挿入され、その状態で該引掛け用爪部を該被係合部の方向に移動させた時に、該被係合部を該引掛け用爪の上面に沿って前記フック部および前記抜け止め部材に接触する位置まで案内するものである請求項１に記載のフラットフック。
【請求項３】
前記引掛け用爪部が、前記平板状の金属部材から成り、前記フック部と一体に形成されている請求項１又は２に記載のフラットフック。
【請求項４】
前記被係合部が線材又は円柱材から成り、
前記凹部が前記被係合部に沿って形成された溝を有し、該溝はその長手方向の一部の数ｍｍ又は十数ｍｍの範囲において該溝の幅が広く形成されているものである請求項１〜３の何れかに記載のフラットフック。
【発明の詳細な説明】
【技術分野】
【０００１】
本発明は、フラットフックに関し、より具体的には、床面又は壁面に設けられた凹部に収容される被係合部に係合するフラットフックに関する。
【背景技術】
【０００２】
従来、平板状の金属部材から成る基部と、基部の一端側をその板厚方向に略Ｕ字状に湾曲してなるフック部と、基部に傾動可能に取付けられた抜け止め部材と、抜け止め部材をフック部の内周面に接触する方向に付勢する付勢部材とを備え、抜け止め部材および付勢部材によりフック部に係合する被係合部が抜け落ちないように構成されたフラットフックが知られている（例えば、特許文献１参照。）。
【先行技術文献】
【特許文献】
【０００３】
【特許文献１】特開２０１５−０３６５８２号公報
【発明の概要】
【発明が解決しようとする課題】
【０００４】
上記のようなフラットフックは、例えば、車椅子を車両に固定する車椅子固定装置の一部や固定ベルト等の機器の一部として用いられ、車両、荷台、および荷室内の床面や壁面に設けられた被係合部に係合する。ここで、被係合部は床面や壁面に設けられた凹部に収容され、使用していない時は凹部内に収容されており、車両、荷台、および荷室内の人や物の移動の障害にならないようになっているが、使用時は凹部外に配置されてフラットフックが係合するように構成されている。
【０００５】
このため、フラットフックを被係合部に係合するために、凹部内に収容されている被係合部を人手で凹部外に配置する必要がある。被係合部は床面や壁面に設けられた凹部内に配置されているので、埃、水分、油分等が凹部に溜り汚れやすい。このため、使用時に被係合部を人手で凹部外に配置する際に、手が汚れてしまう。
【０００６】
また、被係合部は、バス等の場合は座席の下方や座席と座席の間に配置されている場合があり、荷台や荷室の場合は荷物で狭くなった空間内に配置されている場合がある。このような状況では、一方の手で被係合部を凹部外に配置しながら他方の手でフラットフックを被係合部に取付ける作業が困難となる場合がある。
【０００７】
本発明は、このような事情に鑑みてなされたものであって、人手を使わずに凹部内に収容されている被係合部に容易に係合させることができるフラットフックの提供を目的とする。
【課題を解決するための手段】
【０００８】
上記課題を解決するために、本発明は以下の手段を採用する。
本発明の一態様は、使用していない時は床面又は壁面に設けられた凹部内に収納され使用時は前記凹部外に配置される被係合部に係合するフラットフックであって、平板状の金属部材から成る基部と、該基部の一端側を前記金属部材の板厚方向に略Ｕ字状に屈曲して成り、前記被係合部に係合するフック部と、前記基部に傾動可能に取付けられた抜け止め部材と、該抜け止め部材を前記フック部の内周面に接触するように付勢する付勢部材と、前記フック部の先端から突出している引掛け用爪部とを備え、該引掛け用爪部が、前記フック部の先端の延在方向よりも前記基部から離れる方向に向かって延び、前記引掛け用爪部の先端から少なくとも５ｍｍの範囲が、前記フック部の幅寸法に対し１／２以下の幅寸法を有する。
【０００９】
当該態様では、フック部の先端から突出している引掛け用爪部はフック部の先端の延在方向よりも基部から離れる方向に向かって延びているので、引掛け用爪部の先端が凹部内に収容された被係合部と該凹部の底面との間の位置に到達し易い。また、引掛け用爪部の先端から少なくとも５ｍｍの範囲はフック部の幅寸法に対し１／２以下の幅寸法を有するので、引掛け用爪部の先端を被係合部と凹部の底面との間に挿入し易い。引掛け用爪部はフック部の先端から突出しているので、引掛け用爪部を被係合部と凹部の底面との間に挿入することにより、人手を使わずに被係合部をフック部内に容易に案内することができる。
【００１０】
つまり、好ましい態様では、前記引掛け用爪部が、前記凹部に収納された前記被係合部と該凹部の底面との間に挿入され、その状態で該引掛け用爪部を該被係合部の方向に移動させた時に、該被係合部を該引掛け用爪の上面に沿って前記フック部および前記抜け止め部材に接触する位置まで案内するものである。
【００１１】
上記態様において、前記引掛け用爪部が、前記平板状の金属部材から成り、前記フック部と一体に形成されていることが好ましい。
この構成により、基部、フック部、および引掛け用爪部を金属平板の打抜き成形および曲げ成形により一体に形成することができ、引掛け用爪部の上面からフック部内に被係合部をスムーズに案内する上でも有利である。
【００１２】
上記態様において、前記被係合部が線材又は円柱材から成り、前記凹部が前記被係合部に沿って形成された溝を有し、該溝はその長手方向の一部の数ｍｍ又は十数ｍｍの範囲において該溝の幅が広く形成されていることが好ましい。
【００１３】
このような数ｍｍから十数ｍｍの範囲の広幅部は、人の指が被係合部と凹部の底面との間に到達し易くするために有用なものである。フラットフックのフック部は２０ｍｍ以上の幅寸法を有する場合も多いが、引掛け用爪部の先端側はフック部に対し１／２以下の幅寸法を有するので、引掛け用爪部の先端が人の指と同様に被係合部と凹部の底面との間に到達し易くなる。
【発明の効果】
【００１４】
本発明によれば、人手を使わずに凹部内に収容されている被係合部にフラットフックを容易に係合させることができる。
【図面の簡単な説明】
【００１５】
【図１】本発明の一実施形態に係るフラットフックを用いた車椅子固定装置の正面図である。
【図２】本実施形態のフラットフックを用いた車椅子固定装置の平面図である。
【図３】本実施形態のフラットフックの背面図である。
【図４】本実施形態のフラットフックの底面図である。
【図５】本実施形態のフラットフックの使用状態を示す図である。
【図６】本実施形態のフラットフックの使用状態を示す図である。
【図７】本実施形態のフラットフックの使用状態を示す図である。
【図８】本実施形態のフラットフックの使用状態を示す図である。
【図９】本実施形態の第１の変形例のフラットフックの正面図である。
【図１０】本実施形態の第１の変形例のフラットフックの底面図である。
【図１１】本実施形態の第２の変形例のフラットフックの正面図である。
【図１２】本実施形態の第３の変形例のフラットフックの正面図である。
【図１３】本実施形態の第３の変形例のフラットフックの背面図である。
【図１４】本実施形態の第３の変形例のフラットフックの右側面図である。
【図１５】本実施形態の第３の変形例のフラットフックの左側面図である。
【図１６】本実施形態の第３の変形例のフラットフックの平面図である。
【図１７】本実施形態の第３の変形例のフラットフックの底面図である。
【図１８】本実施形態の第３の変形例のフラットフックの底面側から見た斜視図である。
【図１９】本実施形態の第３の変形例のフラットフックの左側面側から見た斜視図である。
【図２０】本実施形態の第３の変形例のフラットフックの使用状態を示す参考図である。
【発明を実施するための形態】
【００１６】
本発明の一実施形態に係るフラットフックを、図面を参照しながら以下に説明する。
このフラットフック１０は、図１〜図５に示すように、平板状の金属部材から成る基部１１と、当該平板状の金属部材の一端側をその板厚方向に略Ｕ字状に屈曲して成るフック部１２と、基部１１に傾動可能に取付けられた抜け止め部材１３と、抜け止め部材１３をフック部１２の内周面に接触する方向に付勢する付勢部材１４と、フック部１２の先端から突出している引掛け用爪部１５とを有する。以下、基部１１の長手方向に対応する方向をフラットフック１０の長手方向と称し、基部１１の長手方向および板厚方向と直交する方向をフラットフック１０、基部１１、フック部１２、および引掛け用爪部１５の幅方向と称する。
【００１７】
一例では、基部１１、フック部１２、および引掛け用爪部１５は、金属平板の打抜き成形および曲げ成形により一体に形成されている。基部１１の長手方向の一端側にはフック部１２が形成され、基部１１の長手方向の他端側には取付孔１１ａが形成されている。図１に示すように、取付孔１１ａは、締結部材４０を介して基部１１をリトラクタ２０に固定されたステー２２ａに締結部材４０の中心軸線ＣＬ周りに回動自在に連結するために用いられる。
【００１８】
このリトラクタ２０は、図１および図２に示すように、一端に車椅子に固定されるフック２１ａが取付けられたリトラクタベルト２１と、ステー２２ａが固定されたリトラクタ本体２２と、リトラクタ本体２２の内部に設けられリトラクタベルト２１をその他端側から巻取る巻芯（図示せず）と、巻芯をベルト巻取方向に付勢する付勢機構（図示せず）と、リトラクタ本体２２の側面に設けられ巻芯を手動でベルト巻取方向に回転させるためのハンドル２３とを有する。
【００１９】
また、このリトラクタ２０は、リトラクタ本体２２内に設けられ、ラチェット機構等により巻芯のベルト巻取方向への回転を許容すると共にベルト放出方向への回転を規制し、これによりリトラクタベルト２１に張力が加わる状態を維持する回転規制機構（図示せず）と、リトラクタ本体２２の背面側から突出し、押下げられると巻芯の前記回転規制を解除する解除レバー２４とを有する。
【００２０】
基部１１の幅方向の両側には抜け止め支持部１１ｂが設けられている。各抜け止め支持部１１ｂは打抜き成形により基部１１の幅方向の両側に設けられた突出片を基部１１の板厚方向に向かって立ち上げることにより形成されている。各抜け止め支持部１１ｂには支持孔（図示せず）が形成され、該支持孔および抜け止め部材１３の一端側を挿通するようにシャフト１１ｃが基部１１に取付けられることにより、抜け止め部材１３が傾動可能に支持されている。
【００２１】
付勢部材１４は例えばシャフト１１ｃの周りに取付けられたトーションスプリングから成る。トーションスプリングの一端は基部１１に当接し、トーションスプリングの他端は抜け止め部材１３に当接している。
【００２２】
フック部１２は、基部１１と同じ金属平板から形成され、屈曲されているので、基部１１と同等又は少し小さい板厚寸法を有する。フック部１２の先端の延在方向線Ｅ１は、図３に示すように、基部１１の延在方向線Ｅ０と例えば１５°以下の小さな角度αを成し、該先端は基部１１の他端側に向かって延びている。
【００２３】
引掛け用爪部１５は基部１１と同じ金属平板から形成され、多少屈曲されているので、基部１１と同等又は少し小さい板厚寸法を有する。引掛け用爪部１５の延在方向線Ｅ２は、図３に示すように、フック部１２の先端の延在方向線Ｅ１と２０°以上の角度βを成している。角度βは図３に示すように２５°以上であることが好ましい。
引掛け用爪部１５の幅寸法Ｗ２は、図４に示すように、フック部１２の幅寸法Ｗ１の１／２以下であればよいが、人の人差し指や中指の先端の幅寸法を考慮して１２ｍｍ以下であることがより好ましい。
【００２４】
上記のように構成されたフラットフック１０付きのリトラクタ２０は、車椅子を車両の床面に固定する車椅子固定装置として機能する。具体的には、図１および図２に示すように、車両の床面に設けられた被係合部１１１にフラットフック１０が係合し、リトラクタ２０のフック２１ａが車椅子のフレーム等に取付けられ、この状態でリトラクタベルト２１に所定のテンションが加わるように調整が行われる。これにより、車椅子を被係合部１１１に接続することができる。
【００２５】
この時、フック部１２の先端が基部１１の下方に配置されるように、フラットフック１０が被係合部１１１に取付けられる。これは、フラットフック１０のフック部１２が平板状の金属部材から成り、取付状態においてフック部１２の幅方向の両端が被係合部１１１に係合し、フック部１２の例えば基部１１の長手軸周りの回転がフック部１２の幅方向の両端の係合により規制されるからである。また、リトラクタベルト２１が弛んでいる時には、フック部１２の幅方向の両端および引掛け用爪部１５の先端が床面側に接触し、その３点が床面に接触して安定するため、フック部１２の先端が基部１１の下方に配置される状態になるからである。
【００２６】
また、基部１１の他端側はリトラクタ本体２２に締結部材４０の中心軸線ＣＬ周りに回動自在に連結されているため、フラットフック１０の姿勢が上記のように安定することにより、リトラクタ本体２２の姿勢も安定し、リトラクタ本体２２の操作を行い易くなる。
【００２７】
ここで、フラットフック１０が取付けられる被係合部１１１は、図５〜図８に示すように、床面に固定された床フック１００のベース部材１２０に傾動可能に取付けられた略コ字形状の被固定部材１１０の一部である。被固定部材１１０は金属製の線材から成り、数十ｍｍの長さを有する略直線状に形成された被係合部１１１と、被係合部１１１の両端から延びる一対の支持部１１２とを有し、一対の支持部１１２がそれぞれベース部材１２０に傾動可能に支持されている。
【００２８】
ベース部材１２０には溝から成る凹部１２１が形成されている。凹部１２１は被固定部材１１０に沿うような形状および大きさを有し、被固定部材１１０が下方の傾動位置にある時には（図６参照）、凹部１２１内に被固定部材１１０の全て又は大部分が収容される。また、被固定部材１１０が凹部１２１に収容されることにより、例えば凹部１２１内のスペースの大きな部分が被固定部材１１０により占められた状態となり、人、荷物等が凹部１２１に引っ掛かり転倒することが防止される。
【００２９】
凹部１２１には、被係合部１１１に対応する第１の溝１２２と、支持部１１２に対応する第２の溝１２３とが設けられている。第１の溝１２２の長手方向の一部である数ｍｍ又は十数ｍｍの範囲には、被固定部材１１０を指で持ち上げやすいように、溝の幅が広くなった広幅部１２２ａが形成されている。
【００３０】
このように構成されたフラットフック１０を床フック１００の被固定部材１１０の被係合部１１１に係合させる場合、先ず、図６に示すように、引掛け用爪部１５の先端を第１の溝１２２の広幅部１２２ａに入れ、引掛け用爪部１５の先端を被係合部１１１と凹部１２１の底面との隙間の手前、又は、被係合部１１１と凹部１２１の底面との間に配置する。
【００３１】
この状態で、引掛け用爪部１５が被係合部１１１の方向に移動するようにフラットフック１０を基部１１の長手方向に移動させると、図７および図８に示すように、被係合部１１１が引掛け用爪部１５の上面に沿ってフック部１２の先端および抜け止め部材１３に接触する位置まで案内される。さらに同方向にフラットフック１０を移動すると、付勢部材１４の付勢力に抗して抜け止め部材１３が基部１１側に移動し、フック部１２と被係合部１１１とが係合する。
【００３２】
このように、本実施形態では、フック部１２の先端から突出している引掛け用爪部１５はフック部１２の先端の延在方向よりも基部１１から離れる方向に向かって延びているので、引掛け用爪部１５の先端が凹部１２１内に収容された被係合部１１１と凹部１２１の底面との間の位置に到達し易い。また、引掛け用爪部１５はフック部１２の幅寸法に対し１／２以下の幅寸法を有するので、引掛け用爪部１５の先端を被係合部１１１と凹部１２１の底面との間に挿入し易い。
【００３３】
そして、引掛け用爪部１５はフック部１２の先端から突出しているので、引掛け用爪部１５を被係合部１１１と凹部１２１の底面との間に挿入することにより、人手を使わずに被係合部１１１をフック部１２内に容易に案内することができる。
【００３４】
また、本実施形態では、引掛け用爪部１５が平板状の金属部材から成り、フック部１２と一体に形成されている。このため、基部１１、フック部１２、および引掛け用爪部１５を金属平板の打抜き成形および曲げ成形により一体に形成することができ、引掛け用爪部１５の上面からフック部１２内に被係合部１１１をスムーズに案内する上でも有利である。
【００３５】
また、本実施形態では、被係合部１１１が金属製の線材から成り、凹部１２１は被係合部１１１に沿って形成された第１の溝１２２を有し、第１の溝１２２の長手方向の一部の数ｍｍ又は十数ｍｍの範囲において第１の溝１２２の幅が広く形成されている。
このような数ｍｍから十数ｍｍの範囲の広幅部１２２ａは、人の指が被係合部１１１と凹部１２１の底面との間に到達し易くするために有用なものである。フラットフック１０のフック部１２は２０ｍｍ以上の幅寸法を有する場合も多いが、引掛け用爪部１５はフック部１２に対し１／２以下の幅寸法を有するので、引掛け用爪部１５の先端が人の指と同様に被係合部と凹部の底面との間に到達し易くなる。
【００３６】
なお、本実施形態では、引掛け用爪部１５の全体がフック部１２に対し１／２以下の幅寸法を有するものを示した。これに対し、図９および図１０に示すように、引掛け用爪部１５をフック部１２の先端の延在方向線Ｅ１に対し２０°以上の角度βを成す延在方向線Ｅ２に沿って延びるように形成すると共に、先端側に向かって徐々に幅寸法が小さくなるように形成し、先端側の５ｍｍ以上の範囲だけフック部１２に対し１／２以下の幅寸法、又は１２ｍｍ以下の幅寸法とすることもできる。
【００３７】
この場合でも、引掛け用爪部１５の先端が被係合部１１１と凹部１２１の底面との間に到達し易くなるので、前述と同様の作用効果を奏する。
なお、図１０で見るとフック部１２と引掛け用爪部１５の境目がわかり難いが、図９のように、引掛け用爪部１５はフック部１２の先端の延在方向よりも基部１１から離れる方向に向かって延びている部分である。
【００３８】
また、図１１に示すように、引掛け用爪部１５がその板厚方向に湾曲していてもよい。この場合でも、引掛け用爪部１５はフック部１２の先端の延在方向よりも基部１１から離れる方向に向かって延びている部分であり、前述と同様の作用効果を奏する。なお、この場合の引掛け用爪部１５の延在方向線Ｅ２は、引掛け用爪部１５の基端と先端を通る線とすることができる。
【００３９】
また、本実施形態では、第１の溝１２２に広幅部１２２ａが設けられたものを示したが、第１の溝１２２に広幅部１２２ａが設けられていなくても、延在方向線Ｅ２に沿って延びフック部１２よりも幅寸法が小さい引掛け用爪部１５の先端は、引掛け用爪部１５が無いフック部１２の先端よりも、被係合部１１１と凹部１２１の底面との間に到達し易いので、上記と同様の作用効果を奏し得る。
【００４０】
また、本実施形態では、引掛け用爪部１５が平板状の金属部材から成り、フック部１２と一体に形成されているものを示した。これに対し、引掛け用爪部１５を別部材から形成し、このような引掛け用爪部１５を溶接、嵌合、ボルト固定等によりフック部１２の先端に固定することも可能である。
【００４１】
また、本実施形態では、被係合部１１１が金属製の線材から成るものを示したが、被係合部１１１が金属製の円柱材から成り、該円柱材の両端側が支持部１１２により支持されるように構成してもよい。
【００４２】
また、本実施形態では、被固定部材１１０が傾動することにより凹部１２１内から凹部１２１外に配置されるものを示した。これに対し、凹部１２１の第１の溝１２２に一対の孔を設け、被固定部材１１０の一対の支持部１１２を前記一対の孔にそれぞれ上下方向に移動可能に挿入し、支持部１１２の端を前記孔から抜けないように構成してもよい。この場合、第２の溝１２３は省くことができる。この場合でも、フラットフック１０の引掛け用爪部１５を被固定部材１１０の被係合部１１１と凹部１２１の底面との間に挿入することにより前述と同様の作用効果を奏する。
【００４３】
また、本実施形態では、フラットフック１０が車椅子固定装置に用いられるものを示したが、フラットフック１０をベルト、チェーン等から成る固縛部材や吊り上げ部材の端部に設けて用いてもよい。
【００４４】
図１２〜図１９は本実施形態のフラットフック１０の引掛け用爪部１５およびフック部１２の先端の形状を若干変更し、フラットフック１０として形状的に特徴がある引掛け用爪部１５を実線であらわし、他の部分を破線であらわしたものである。図２０は図１２〜図１９のフラットフック１０の使用状態を示す説明図であり、このフラットフック１０は、未使用時は床面や壁面に設けられた凹部１２１内に配置され使用時は凹部１２１外に配置される被固定部材１１０の被係合部１１１に係合するものである。
【符号の説明】
【００４５】
１０  フラットフック
１１  基部
１２  フック部
１３  抜け止め部材
１４  付勢部材
１５  引掛け用爪部
２０  リトラクタ
２１  リトラクタベルト
２１ａ  フック
２２  リトラクタ本体
２２ａ  ステー
２３  ハンドル
２４  解除レバー
４０  締結部材
１００  床フック
１１０  被固定部材
１１１  被係合部
１２０  ベース部材
１２１  凹部
１２２  第１の溝
１２２ａ  広幅部
１２３  第２の溝
【図１】
2019023499.tif 000003
【図２】
2019023499.tif 000004
【図３】
2019023499.tif 000005
【図４】
2019023499.tif 000006
【図５】
2019023499.tif 000007
【図６】
2019023499.tif 000008
【図７】
2019023499.tif 000009
【図８】
2019023499.tif 000010
【図９】
2019023499.tif 000011
【図１０】
2019023499.tif 000012
【図１１】
2019023499.tif 000013
【図１２】
2019023499.tif 000014
【図１３】
2019023499.tif 000015
【図１４】
2019023499.tif 000016
【図１５】
2019023499.tif 000017
【図１６】
2019023499.tif 000018
【図１７】
2019023499.tif 000019
【図１８】
2019023499.tif 000020
【図１９】
2019023499.tif 000021
【図２０】
2019023499.tif 000022